(57)【要約】【課題】表示する画像による消費電力を考慮してきめ細かな電池残量表示を行うことのできる携帯電子機器を提供する。【解決手段】携帯電子機器は、複数の表示素子を有し、当該複数の表示素子ごとの発光状態を制御することにより表示を行う表示部１５と、表示部１５に、所定の画像を描画させるよう制御する制御部１２と、表示部１５および制御部１２に給電を行う電池１７と、を備え、制御部１２は、電池１７の状態を監視し、電池１７の残量を算出する際に表示部１５により画像の表示が行われている場合には、表示されている画像の表示色に基づいて補正値を設定し、当該補正値と電池１７の状態を示す電圧値とを用いて電池１７の残量を特定し、当該特定された残量を表示部１５に表示させる。【選択図】図１
2008185750.tif 000002
【特許請求の範囲】
【請求項１】
複数の表示素子を有し、当該複数の表示素子ごとの発光状態を制御することにより表示を行う表示部と、
前記表示部に、所定の画像を描画させるよう制御する制御部と、
前記表示部および前記制御部に給電を行う電池と、を備え、
前記制御部は、
前記電池の状態を監視し、前記電池の残量を算出する際に前記表示部により画像の表示が行われている場合には、表示されている画像の表示色に基づいて補正値を設定し、当該補正値と前記電池の状態を示す値とを少なくとも用いて前記電池の残量を特定し、当該特定された残量を前記表示部に表示させる
ことを特徴とする携帯電子機器。
【請求項２】
前記表示部は、
前記複数の発光素子にて一つのピクセルを構成し、前記複数の発光素子ごとの光量を調整することにより前記ピクセルごとに色を生成し、当該ピクセルの集合体により画面表示を行う
ことを特徴とする請求項１に記載の携帯電子機器。
【請求項３】
前記複数の発光素子は、色の三原色Ｒ、Ｇ、Ｂの発光素子からなり、
前記制御部は、
前記表示部に画像の描画を指示する描画信号の一部を参照して前記Ｒ、Ｇ、Ｂの発光素子ごとの単体発光状態を抽出し、当該抽出された単体発光状態に基づいて発光比率を算出して補正値を設定する
ことを特徴とする請求項１または２に記載の携帯電子機器。
【請求項４】
前記制御部は、
少なくとも前記電池の状態を示す値と前記補正値とに基づいて算出した値を予め設定された閾値と比較することにより、電池の残量レベルを決定し、当該残量レベルを絵記号にて前記表示部に表示させる
ことを特徴とする請求項１から３のいずれか１項に記載の携帯電子機器。
【発明の詳細な説明】
【技術分野】
【０００１】
本発明は、特に、有機ＥＬ（Organic Electro Luminescence）を表示デバイスとして有する携帯電話に用いて好適な、携帯電子機器に関するものである。
【背景技術】
【０００２】
現在、携帯電話の表示デバイスは、ＬＣＤ（Liquid Crystal Display）が主流となって普及しているが、最近、有機ＥＬ（以下、ＯＬＥＤ（Organic Light-Emitted Diode）という）が注目され、ＬＣＤが持つ高解像度、薄型軽量の特徴と、ＣＲＴ（Cathode Ray tube）が持つ高コントラスト、広視野角の特徴とを合わせ持つ新たな表示デバイスとして採用が検討されるようになった。
【０００３】
ＯＬＥＤは、ＣＲＴやプラズマ同様、自発光型の表示デバイスであり、ガラス基板上にＩＴＯ（Indium Tin Oxide）からなるアノード電極を形成し、その上に、ホール輸送層、発光層、電子輸送層からなる有機層と、金属電極とからなるカソード電極が形成されている。
ＬＣＤは、輝度がバックライトにより液晶パネルに入射される光量で制御されるのに対し、ＯＬＥＤは、有機層に流れる電流により制御されるため、発光していない部分は完全に黒表示となりコントラストが非常に高いという特徴を持つ。
【０００４】
ところで、上記した携帯電話における電池残量表示は、電池の電圧を監視し、その電圧に応じて残量を求め表示デバイスに電池残量ピクト表示する方法が最も簡易で、安価な方法として定着している。
表示デバイスにＬＣＤを用いた場合、特に、バックライトの消費電力が高く、バックライト点灯時において電圧変動等により正しい電池電圧値を読み取ることが困難になるため、補正値を用いることで正しい電圧閾値を計算し、電池残量の判定に用いていた。また、バックライトに流す電流を制限することでＬＣＤの明るさを変動させるが、その場合、消費電力も大きく変化するため、バックライトに流す電流値によって補正値を変更させることが必要である。
【０００５】
このため、従来、デバイスごとの平均消費電流を記憶したテーブルを予め用意し、このテーブルを参照して電池残量表示を行う電池残量レベル表示機能付き携帯通信端末（例えば、特許文献１参照）、負荷電流による電圧降下を推定して電源の端子電圧を補正して電源電圧を求めることにより、負荷電流にかかわらず電池残量を特定する電子機器（例えば、特許文献２参照）等が提案されている。
【特許文献１】特開２００２−３３５３０７号公報
【特許文献２】特開２００４−６９５７３号公報
【発明の開示】
【発明が解決しようとする課題】
【０００６】
上記したように、表示デバイスにＬＣＤを使用した場合、バックライトに流す電流値ごとに補正値を持たせるだけで、より正確な電圧閾値を計算することが可能であった。
【０００７】
しかしながら、特許文献１および２に開示された技術は表示デバイスとして、ＬＣＤが想定されており、バックライトを有さないＯＬＥＤは考慮されていない。
【０００８】
本発明は上記した課題を解決するためになされたものであり、表示デバイスによる消費電力を考慮してきめ細かな電池残量表示を行うことのできる携帯電子機器を提供することを目的とする。
【課題を解決するための手段】
【０００９】
本発明に係る携帯電子機器は、複数の表示素子を有し、当該複数の表示素子ごとの発光状態を制御することにより表示を行う表示部と、前記表示部に、所定の画像を描画させるよう制御する制御部と、前記表示部および前記制御部に給電を行う電池と、を備え、前記制御部は、前記電池の状態を監視し、前記電池の残量を算出する際に前記表示部により画像の表示が行われている場合には、表示されている画像の表示色に基づいて補正値を設定し、当該補正値と前記電池の状態を示す値とを少なくとも用いて前記電池の残量を特定し、当該特定された残量を前記表示部に表示させる。
【００１０】
また、本発明に係る携帯電子機器において、前記表示部は、前記複数の発光素子にて一つのピクセルを構成し、前記複数の発光素子ごとの光量を調整することにより前記ピクセルごとに色を生成し、当該ピクセルの集合体により画面表示を行うように構成してもよい。
【００１１】
また、本発明に係る携帯電子機器において、前記複数の発光素子は、色の三原色Ｒ、Ｇ、Ｂの発光素子からなり、前記制御部は、前記表示部に画像の描画を指示する描画信号の一部を参照して前記Ｒ、Ｇ、Ｂの発光素子ごとの単体発光状態を抽出し、当該抽出された単体発光状態に基づいて発光比率を算出して補正値を設定するように構成してもよい。
【００１２】
また、本発明に係る携帯電子機器において、前記制御部は、少なくとも前記電池の状態を示す値と前記補正値とに基づいて算出した値を予め設定された閾値と比較することにより、電池の残量レベルを決定し、当該残量レベルを絵記号にて前記表示部に表示させるように構成してもよい。
【発明の効果】
【００１３】
本発明によれば、表示デバイスによる消費電力を考慮してきめ細かな電池残量表示を行うことのできる携帯電子機器を提供することができる。
【発明を実施するための最良の形態】
【００１４】
図１は、本発明の実施の形態に係る携帯電子機器の内部構成を示すブロック図である。ここでは、携帯電子機器として携帯電話が例示されている。
図１に示されるように、携帯電話は、通信部１１と、制御部１２と、記憶部１３と、音声処理部１４と、表示部１５と、操作部１６と、電池１７とにより構成される。
【００１５】
通信部１１は、不図示の基地局のいずれかによって割り当てられるチャネルを用いて当該基地局との間で通信回線を介して無線信号の送受信を行う。
【００１６】
制御部１２は、表示部１５に、所定の画像を描画させるように制御する機能を有し、具体的には、電池１７の状態を監視し、電池の残量を算出する際に、表示部１５により画像の表示が行われている場合には、表示されている画像の表示色に基づいて補正値を設定し、当該補正値と電池１７の状態を示す電圧値とを用いて電池１７の残量を特定し、当該特定された残量を表示部１５に表示させる。詳細は後述する。
【００１７】
記憶部１３には、制御部１２が実行するプログラムや、当該プログラムが参照するテーブル、あるいは作業領域として使用するデータのそれぞれが格納される記憶領域が割り付けられ、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００１８】
音声処理部１４は、スピーカ（ＳＰ）から出力される音声信号やマイクロフォン（ＭＩＣ、以下、マイクという）を介して入力される音声信号の処理を行う。
すなわち、音声処理部１４は、マイクから入力される音声を増幅し、アナログ／デジタル変換を行い、更に符号化等の信号処理を施し、デジタルの音声データに変換して制御部１２に出力する。
また、音声処理部１４は、制御部１２から供給される音声データに復号化、デジタル／アナログ変換、増幅等の信号処理を施し、アナログの音声信号に変換してスピーカに出力する。
【００１９】
表示部１５は、制御部１２により生成される表示情報を映像信号に変換して表示する。例えば、携帯電話機発信時における発信先の電話番号、着信時における着信相手の電話番号、受信メールや送信メールの内容、日付、時刻、アンテナレベル、バッテリ残量等のピクト、発信成否、待ち受け画面などの各種の情報や画像を表示する。
ここでは、表示部１５として、複数の発光素子（Ｒ，Ｇ，Ｂの三原色ごとに一つずつ設けられる）にて一つのピクセル（表示素子）を構成し、このような表示素子が縦横に多数並べて構成され、当該複数の表示素子毎の発光状態を制御することにより画面の表示を行う有機ＥＬディスプレイであって、具体的には、３種の発光素子にて一つの画素を構成し、当該複数の発光素子ごとの光量を調整することにより画素ごとに色を生成し、当該画素の集合体により画面表示を行う、所謂、有機ＥＬ表示デバイス（ＯＬＥＤパネル）を用いることとする。
ＯＬＥＤパネルは、複数の発光素子にて一つのピクセルを構成し、複数の発光素子ごとの光量を調整することによりピクセルごとに色を生成し、当該ピクセルの集合体により画面表示を行う。
【００２０】
上記した制御部１２は、表示部１５に画像の描画を指示する描画信号の一部を参照して表示部１５を構成するＲ、Ｇ、Ｂの発光素子ごとの単体発光状態を抽出し、当該抽出された単体発光状態に基づいて発光比率を算出して補正値を設定する。制御部１２はまた、電池１７の状態を示す電圧値と補正値とを合わせた値を記憶部１３に記憶された閾値と比較することにより、電池１７の残量レベルを決定し、当該残量レベルを絵記号（電池残量ピクト）にて表示部１５に表示させる。詳細は後述する。
【００２１】
ＯＬＥＤパネルは、例えば、図２にその内部構成が示されるように、タイミング制御部１５１と、カラム駆動部１５２と、ロウ駆動部１５３と、電源部１５４と、ＯＬＥＤパネル本体１５５とにより構成される。
上記した制御部１２の描画・表示制御部１２１により出力される映像信号（ＶＩＤＥＯ）は、タイミング制御部１５１により、ＲＧＢ信号、垂直同期（ＶＤ）および水平同期信号（ＨＤ）に分離される。このうち、ＲＧＢ信号は、一旦、カラム駆動部１５２によりアナログラッチで保持された後、指定されたタイミングでＯＬＥＤパネル本体１５５のカラム本数分並列に一度に出力される。出力された信号は、それぞれ電圧から電流値に変換され、カラムを定電流駆動する。これにより、所定周期ごとの表示更新を行う。
【００２２】
また、ＶＤおよびＨＤは、ロウ駆動部１５３で所定の電圧に変換され、カラムで出力された定電流信号で選択された画素のＯＮまたはＯＦＦ状態を決定する。例えば、横がｍ画素、縦がｎ画素のＯＬＥＤパネル本体１５５を想定すれば、ＯＬＥＤパネル本体１５５は、ｍ本のカラム電極と、ｎ本のロウ電極とを有していることになる。ｎ本のロウ電極は、ロウ電極の１行目からｎ行目を順次走査しており、ある動作時間のみカラム電極を介して駆動される定電流信号によって動作状態となる。このように、１行目のロウ電極から最下段のｎ行目のロウ電極まで逐次走査が切替えられて１画面分のアドレスが更新される。このときの１行目からｎ行目までの走査パルス列によって生成される１画面分の画像をフレームといい、連続的に画像を表示させるためにはこの画面走査を繰り返し行う必要がある。
【００２３】
説明を図１に戻す。操作部１６は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１２に入力する。
【００２４】
図３は、図１に示す制御部１２の内部構成を機能展開して示したブロック図である。図３に示されるように、制御部１２は、主制御部１２０と、画像取得部１２１と、発光比率算出部１２２と、消費電力比率算出部１２３と、テーブル索引部１２４と、補正値取得部１２５と、比較演算部１２６と、電池電圧監視部１２７と、ピクト描画・表示制御部１２８とにより構成される。
【００２５】
主制御部１２０と、本発明における携帯電子機器の制御中枢となり、電池１７の状態を監視し、電池１７の残量を算出する際に表示部１５により画像の表示が行われている場合には、表示されている画像の表示色に基づいて補正値を設定し、当該補正値と電池１７の状態を示す電圧値とを用いて電池１７の残量を特定し、当該特定された残量を表示部１５に表示させる制御部１２としての機能を実現するために、後述する画像取得部１２１、発光比率算出部１２２、消費電力比率算出部１２３、テーブル索引部１２４、補正値取得部１２５、比較演算部１２６、電池電圧監視部１２７、ピクト描画・表示制御部１２８のシーケンス制御を行う。
【００２６】
画像取得部１２１は、記憶部１３に割り付けられ一時格納される画像記憶領域１３０から表示画面を構成するブロックを単位とする画像データを取得して発光比率算出部１２２へ供給する。発光比率算出部１２２は、上記したブロック単位の画像データをスキャンすることにより、表示画面中のＲＧＢ発光素子の点灯数をカウント、消費電力比率算出部１２３へ供給する。
【００２７】
消費電力比率算出部１２３は、発光比率算出部１２２によりカウントされる表示画面中のＲＧＢ発光素子の点灯数と、記憶部１３に割り付けられ登録された発光色別消費電力比率定義テーブル１３１を参照して得られるデフォルトの値とを乗算して表示画面中におけるＲＧＢ単位での消費電力率、および表示画面全体の消費電力率を算出してテーブル索引部１２４へ供給する。
【００２８】
テーブル索引部１２４は、消費電力比率算出部１２３により算出される表示画面全体の消費電力比率に基づき、記憶部１３に割り付けられ記憶された点灯レベル別消費電力比率テーブル１３２を索引し、点灯レベルに応じて定義された消費電力率データを取得して補正値取得部１２５へ供給する。補正値取得部１２５は、テーブル索引部１２４により取得された点灯レベルによる消費電力率データに基づき、記憶部１３に割り付けられ記憶された補正値テーブル１３３を参照して該当の補正値を取得し、比較演算部１２６へ供給する。
【００２９】
比較演算部１２６には、補正値取得部１２５により取得される補正値の他に、電池電圧監視部１２７により、計測される電池１７の電圧値が供給されている。比較演算部１２６は、電池電圧監視部１２７により供給される電池電圧と、補正値取得部１２５により取得される補正値とを加算し、その結果得られる電圧値と、記憶部１３に割り付けられ格納される、ピクト表示のための３段階の閾値とを比較し、その結果をピクト描画・表示制御部１２８へ供給する。なお、ここで電池電圧監視部１２７により供給される電池電圧は、他の機能ブロックにより消費されている電流量を考慮して補正されたものであっても良いことは言うまでもない。例えば、通信部１１により無線通信を行っている場合には、通信部１１に含まれるパワーアンプなどの消費電流が非常に大きいため、電池残量を算出する際においては考慮しておくことが好ましい。その他、大音量で音楽再生中などにおいては音声処理部１４やスピーカＳＰにおける消費電流を考慮しておいたり、記憶部１３から大きなサイズのデータの読出し書込みに伴う消費電流を考慮したりすることが好ましい。よって、この場合、制御部１２は、電池１７そのものの電圧値を監視するほか、通信部１１、音声処理部１４、記憶部１３などの各ブロックでの消費電流や、アプリケーションプログラムの実行状態も監視している。
【００３０】
ピクト描画・表示制御部１２８は、比較演算部１２６により供給される閾値との比較結果にしたがい、記憶部１３に割り付けられた表示画面記憶領域１３５に、電池の残量レベルに応じたピクト画像を描画し、また、表示部１５の表示タイミングに同期して表示画面記憶領域に１３５に描画されたデータ（電池残量ピクトを含む画像）を読み出して表示部１５へ表示する。
【００３１】
なお、上記した記憶部１３に割り付けられ記憶される、発光色別消費電力比率定義テーブル１３１、点灯レベル別消費電力比率テーブル１３２、補正値テーブル１３３のデータ構造の一例は、図５、図６、図７にそれぞれ示されている。詳細は後述する。
【００３２】
図４は、本発明の実施の形態に係る携帯電子機器の動作を示すフローチャートである。以下、図４に示すフローチャートを参照しながら、図１〜図３に示す携帯電話の動作について詳細に説明する。なお、図５〜図７は、本発明の実施の形態に係る携帯電子機器で使用される各種テーブル類のデータ構造を、図８は、表示画面構成の一例を示し、ここでは、これらの図についても合わせて説明する。
【００３３】
まず、画像取得部１２１は、主制御部１２０による制御の下、記憶部１３の画像記憶領域１３０から表示画面を構成するブロックを単位とする画像データを間引きスキャンにより取得して発光比率算出部１２２へ供給する（Ｓ４０１）。ここでは、表示部１５は、図８に表示画面構成の一例を示すように、横２４０、縦３２０の、合計７６８００ピクセル分の表示画面容量（画像記憶領域１２０）を持つこととし、画像取得部１２１は、画像記憶領域１３０に一時記憶された、横１６、縦２ピクセルを１ブロックとする３２ピクセルから成る画像を単位に間引きスキャンしながら取得して発光比率算出部１２２へ供給する。
【００３４】
すなわち、正確さを保ちつつも消費電力の算出の速度を速めるために、次のようなサンプリング処理を行うこととなる。まず、横軸においては、２４０ピクセル中、１ブロック辺り１６ピクセルであるため、１５ブロックに切り分けられる。また、縦軸においては、３２０ピクセル中、１ブロック辺り２ピクセルであるため、１６０ブロックに切り分けられる。そして、これらのブロックのうちのいくつかからサンプリングを行う。なお、画像表示を行うとき、最外郭には表示を行わない場合が多いため、サンプリングする際には、最も外側に位置するブロックの情報は使用しない。すなわち、横軸においては１５ブロック中の両端を除いたブロックを、縦軸においては１６０ブロック中の最上段、最下段を除いたブロックを用いる。
このようにして、表示発光比率算出部１２２は、画像取得部１２１によって取得される横軸においては横軸ブロック番号１から１５のうち、２，６，１０，１４と、両端を除き、３ブロック飛ばしに計４ブロックをサンプリング対象とする。また、縦軸においては、横軸にて対象とした４ブロックのうち、さらに縦軸ブロック番号１から１６０のうち、３，５，７・・・１５７，１５９と、最上段と最下段を除き１ブロック飛ばしに計８０ブロックをサンプリング対象とする。その結果、横軸４ブロック、縦軸８０ブロックの合計３２０ブロックがサンプリング対象となる。また、１ブロック３２ピクセルであるため、合計１０２４ピクセルの中から、画像表示に伴って使用されるＲＧＢ発光素子毎の点灯数をカウントし、その発光比率を算出して消費電力率算出部１２３へ供給する（Ｓ４０２）。
【００３５】
なお、発光比率算出部１２２は、全画面（７６８００ドット）スキャンしてＲＧＢ発光素子毎の点灯数をカウントして発光比率を算出し、後述する処理を実行した場合、例えば、キーの操作応答が遅くなる等、携帯電話のＣＰＵに負荷がかかり性能に悪影響が考えられるため、ここでは、画面取得部１２１により間引きスキャンされ取得される平均的に分散した画像のみの発光比率を算出する構成としている。
【００３６】
消費電力比率算出部１２３は、発光比率算出部１２２によりカウントされる表示画面中のＲＧＢ発光素子毎の点灯数と、記憶部１３に登録された発光色別消費電力比率定義テーブル１３１を参照して得られるデフォルト値（Ｒ：０．２３、Ｇ：０．２６、Ｂ：０．５１）とをそれぞれ乗算することにより、表示画面中におけるＲＧＢ単位での消費電力率、および表示画面全体の消費電力率を算出してテーブル索引部１２４へ供給する（Ｓ４０３）。
具体的に、発光比率算出部１２２により算出される発光比率が＜Ｒ１０：Ｇ４０：Ｂ５０＞になった場合、消費電力比率算出部１２３は、Ｒ＝０．２３×１０［％］、Ｇ＝０．２６×４０［％］、Ｂ＝０．５１×５０［％］を求めることにより、それぞれの消費電力比率が、２．３［％］、１０．４［％］、２５．５［％］となり、したがって、その合計消費電力比率は、２．３［％］＋１０．４［％］＋２５．５［％］＝３８．２［％］になる。
【００３７】
発光比率算出部１２２は、上記により得られる消費電力比率をテーブル索引部１２４へ出力する。テーブル索引部１２４には、他に、主制御部１２０を介して出力される点灯レベルがデータとして供給されている。テーブル索引部１２４は、この点灯レベルと、消費電力比率算出部１２３により算出される合計消費電力比率に基づき、記憶部１３の点灯レベル別消費電力比率テーブル１３２を索引し（Ｓ４０４）、点灯レベルに応じて定義された消費電力率データを取得する。ここでは、点灯レベル“３”、合計消費電力比率６０［％］とした場合、図６に示す点灯レベル別消費電力比率テーブル１３２によれば、３６［％］が索引され、補正値取得部１２５へ供給される。なお、ここでいう点灯レベルとは、ユーザが操作部１６の操作により表示部１５を見ながら調整する表示部１５の輝度であって、この例ではレベル０（最も暗い）からレベル６（最も明るい）まで調整可能である。調整された点灯レベルは制御部１２により記憶部１３の所定の領域に記憶されることとなる。
補正値取得部１２５では、テーブル索引部１２４により取得された点灯レベルによる消費電力率データ（３６［％］）に基づき、記憶部１３の補正値テーブル１３３を参照して該当の補正値、図７に示す補正値テーブル１３３によれば、補正値“Ｂ”を取得し、比較演算部１２６へ供給する（Ｓ４０５）。
【００３８】
比較演算部１２６には、補正値取得部１２５により取得される補正値の他に、電池電圧監視部１２７により、計測される電池１７の電圧値が供給されている。比較演算部１２６は、電池電圧監視部１２７により供給される電池電圧と、補正値取得部１２５により取得される補正値とを加算し、その結果得られる電圧値と、記憶部１３に割り付けられ格納される、ピクト表示のための３段階の閾値とを比較し、その結果をピクト描画・表示制御部１２８へ供給する（Ｓ４０６）。
ピクト描画・表示制御部１２８は、比較演算部１２６により供給される閾値との比較結果にしたがい、記憶部１３に割り付けられた表示画面記憶領域１３５に、電池の残量レベルに応じたピクト画像を描画し、また、表示部１５の表示タイミングに同期して表示画面記憶領域に１３５に描画されたデータ（電池残量ピクトを含む画像）を読み出して表示部１５へ表示する（Ｓ４０７）。そして、この補正処理を一定の周期で行う。電池残量をより正確に求めるならば、表示部１５の表示更新周期ごとに補正処理を行うことが好ましいが、あまりに頻繁に行うと、この算出処理に要する消費電流が大きくなってしまうため、ある程度の周期ごとに行うことが好ましい。例えば、表示更新周期が１００回行われるごとに１回補正処理を行うなどして間欠的に行うことにより、電池消費への悪影響を低減できる。
【００３９】
なお、消費電力比率算出部１２３は、ＲＧＢ発光素子毎の点灯数のみカウントする例を示したが、発光数をカウントする際に、各発光素子の発光の階調レベルをも参照することが好ましい。例えば、発光素子ごとに６３の階調が付与されている場合、発光素子の点灯数をカウントする際に各発行素子の階調情報も取得して合計し、その後に６３で除算することにより、表示素子それぞれでの消費電力をより詳細に求めることが出来る。つまり、最大値の６３階調を点灯とする場合に対して、全体の平均として最大値に対して何パーセントの値になるのかが算出されるため、合計消費電力比率Ｔ（ｗ）にこれを乗算することで実際にぼんやり点灯しているレベル、非常に明るく点灯しているレベルなどの微妙な使用状態までも考慮した正確な算出が行える。
さらに、合計消費電力比率Ｔ（ｗ）を比較するために、点灯レベル別電力消費率テーブル（図６）を示したが、実際には、Ｔ（ｗ）が１００パーセントのときの点灯レベルごとの消費電力比率のみ記録した最低限のテーブルであっても、これに合計消費電力比率Ｔ（ｗ）を乗算するだけで詳細に点灯レベル別消費電力比率が算出できる。このように算出形式にした場合には、テーブルを詳細に持たせる必要がなくなるために、必要とするメモリ量の低減につながる。
【００４０】
以上説明のように、ＯＬＥＤパネルを表示デバイスとして使用した場合、ＬＣＤとは異なり、明るさの他に、表示画像によって消費電力が大きく変動する。そのため、ＯＬＥＤパネルを使用した場合に電圧閾値を正しく設定できなという課題があったが、上述したように、点灯レベルに加え、画像情報も補正値に付加することで、正確な電圧閾値を生成することができる。このため、電池残量ピクトも正しく表示され、ユーザは電池残量を正しく認識することができる。また、画像情報を取得する際にも携帯電話の性能に悪影響を与えないように、平均的に分散した画素情報のみを取得するだけで画面全体に対する消費電力比率が分かり、したがって、携帯電話に負荷をかけることなく制御が可能である。
【００４１】
なお、上記した本発明の実施の形態によれば、表示部１５としてＯＬＥＤパネルのみ例示したが、他に、プラズマ等自発光型のフラットパネルについても同様に応用が可能である。また、上記した本発明の実施の形態によれば、携帯電子機器として携帯電話を例示したが、携帯電話に限らず、ＰＤＡ（Personal Digital Assistants）、やゲーム機、ＰＣ等にも同様に適用が可能である。また、本発明の携帯電子機器が持つ各構成ブロックの機能は、全てをソフトウェアによって実現しても、あるいはその少なくとも一部をハードウエアで実現してもよい。例えば、主制御部１２０における処理や、画像取得部１２１、発光比率算出部１２２、消費電力比率算出部１２３、テーブル索引部１２４、補正値取得部１２５、比較演算部１２６、電池電圧監視部１２７、ピクト描画・表示制御部１２８におけるデータ処理は、１または複数のプログラムによりコンピュータ上で実現してもよく、また、その少なくとも一部をハードウエアで実現してもよい。
【図面の簡単な説明】
【００４２】
【図１】本発明の実施の形態に係る携帯電子機器の内部構成を示すブロック図である。
【図２】図１に示す表示部を構成するＯＬＥＤパネルの内部構成を示す図である。
【図３】図１に示す制御部の内部構成を示すブロック図である。
【図４】本発明の実施の形態に係る携帯電子機器の動作を示すフローチャートである。
【図５】図３に示す発光色別消費電力比率定義テーブルのデータ構造の一例を示す図である。
【図６】図３に示す点灯レベル別消費電力比率テーブルのデータ構造の一例を示す図である。
【図７】図３に示す補正値テーブルのデータ構造の一例を示す図である。
【図８】図１に示す表示部の表示画面構成の一例を示す図である。
【符号の説明】
【００４３】
１１…通信部、１２…制御部、１３…記憶部、１４…音声処理部、１５…表示部、１６…操作部、１７…電池、１２０…主制御部、１２１…画像取得部、１２２…発光比率算出部、１２３…消費電力比率算出部、１２４…テーブル索引部、１２５…補正値取得部、１２６…比較演算部、１２７…電池電圧監視部、１２８…ピクト描画・表示制御部。
【図１】
2008185750.tif 000003
【図２】
2008185750.tif 000004
【図３】
2008185750.tif 000005
【図４】
2008185750.tif 000006
【図５】
2008185750.tif 000007
【図６】
2008185750.tif 000008
【図７】
2008185750.tif 000009
【図８】
2008185750.tif 000010